(57)【要約】【課題】複写物であることを一見して判読することが可能な複写防止印刷物を容易に製造することが可能な複写防止印刷物の製造方法を提供する。【解決手段】  模様パターンと、模様パターンをカモフラージュするためのカモフラージュパターンと、を基材上に重ねて形成されてなる複写防止印刷物の製造方法であって、基材上にカモフラージュパターンを印刷形成する第１の印刷工程と、カモフラージュパターン上に模様パターンを印刷形成する第２の印刷工程と、を有することを特徴とする。【選択図】図７
2007069613.tif 000002
【特許請求の範囲】
【請求項１】
模様パターンと前記模様パターンをカモフラージュするためのカモフラージュパターンとを基材上に重ねて形成されてなる複写防止印刷物の製造方法であって、
前記基材上に前記カモフラージュパターンを印刷形成する第１の印刷工程と、
前記カモフラージュパターン上に前記模様パターンを印刷形成する第２の印刷工程と、を有することを特徴とする複写防止印刷物の製造方法。
【請求項２】
前記第１の印刷工程は、
複写再現される網点または万線からなる第１のパターンと、複写再現されない編点または万線からなる第２のパターンと、の少なくとも１つのパターンを含むカモフラージュパターンを印刷形成することを特徴とする請求項１記載の複写防止印刷物の製造方法。
【請求項３】
前記第２の印刷工程は、
複写再現される再現パターンと、複写再現されない非再現パターンと、を含む模様パターンを印刷形成することを特徴とする請求項１記載の複写防止印刷物の製造方法。
【請求項４】
前記第１の印刷工程は、ロールトゥロールにて行うことを特徴とする請求項１記載の複写防止印刷物の製造方法。
【発明の詳細な説明】
【技術分野】
【０００１】
本発明は、複写機による偽造を防止する複写防止印刷物の製造方法に関し、目視により一見しただけでは、潜像が見つけられず、かつ、複写機による得られた偽物に複写物であることの痕跡か明確に顕現されるようにした複写防止印刷物の製造方法に関するものである。
【背景技術】
【０００２】
近年、カラー複写機の高性能化に伴い、有価証券、証明書類等の印刷物を容易に複製することが可能となってきている。
【０００３】
そこで、カラー複写機による偽造を防止するために、本発明より先に出願された技術文献として、印刷基材の表面に６５線スクリーンからなる警告文書１０および１３０線スクリーンからなる背景トーン１１を印刷し、次いで、この警告文書１０および背景トーン１１を含む印刷基材の表面にカモフラージュパターン１２を印刷し、警告文書１０および背景トーン１１をマスクすることで、注意深く観察しても警告文書１０を確認することができず、カラー複写機で複写した複写物に警告文書１０が現れ、このことにより偽造を有効に防止するようにした印刷物が開示された文献がある（例えば、特許文献１参照）。
【０００４】
また、基材１の表面に、１５０線３０％の細かい網点からなる潜像２を印刷するとともに、この潜像２の周囲の白地部分３に８５線の粗い網点を印刷することで、肉眼で、例えば、一様に認識されるようにするとともに、複写を行った場合、複写物に潜像２と白地部分３とが明確に区別されて複写されて現れ、このことによりカラー複写機による偽造を有効に防止するようにした印刷物が開示された文献がある（例えば、特許文献２参照）。
【０００５】
また、用紙１の表面に１５０線１０％程度の網点により潜像２を印刷すると同時に、この潜像２の周囲の白地部分に５０線１０％程度で同濃度の万線により背景３を印刷し、次いで、潜像２および背景３を含む用紙１の表面に、複写再現されない薄色の透明インキにより地紋、彩紋等からなる装飾模様４を重ね刷りし、この印刷物を肉眼で観察すると模様４のみが存在しているように見え、複写機により複写を行った場合、背景３のみが現れ、一見して複写物であることが判明するようにした印刷物が開示された文献がある（例えば、特許文献３参照）。
【特許文献１】特開昭５３−１４２２３７号公報
【特許文献２】特開昭５４−７４１２５号公報
【特許文献３】特開昭６０−７９９９１号公報
【発明の開示】
【発明が解決しようとする課題】
【０００６】
しかしながら、上述した従来の印刷物にあっては、カモフラージュパターンを設けずに、潜像の周囲に地紋や彩紋等を背景として構成すると、印刷濃度、色調または潜像と背景との網点もしくは万線の密度の差により潜像と背景の濃度に差が生じ、潜像が目視により判読されやすくなってしまうといった問題があった。
【０００７】
また、従来の印刷物にあっては、潜像を一方向の角度で構成すると、カラー複写機のスキャニング方向によっては、潜像を読み取ることができず、複写物に潜像が複写再現されないといった問題があった。
【０００８】
また、従来の印刷物にあっては、潜像および背景とカモフラージュパターンとを異なる色調の色を用いて構成する場合、正確な色調のコントロールが要求され、複写防止に好適な印刷物を容易に得ることが困難であるという問題があった。
【０００９】
本発明は、上記事情に鑑みてなされたものであり、複写物であることを一見して判読することが可能な複写防止印刷物を容易に製造することが可能な複写防止印刷物の製造方法を提供することを目的とする。
【課題を解決するための手段】
【００１０】
かかる目的を達成するために、本発明は、以下の特徴を有することとする。
【００１１】
本発明にかかる複写防止印刷物の製造方法は、模様パターンと模様パターンをカモフラージュするためのカモフラージュパターンとを基材上に重ねて形成されてなる複写防止印刷物の製造方法であって、基材上にカモフラージュパターンを印刷形成する第１の印刷工程と、カモフラージュパターン上に模様パターンを印刷形成する第２の印刷工程と、を有することを特徴とするものである。
【００１２】
また、本発明にかかる複写防止印刷物の製造方法において、第１の印刷工程は、複写再現される網点または万線からなる第１のパターンと、複写再現されない編点または万線からなる第２のパターンと、の少なくとも１つのパターンを含むカモフラージュパターンを印刷形成することを特徴とするものである。
【００１３】
また、本発明にかかる複写防止印刷物の製造方法において、第２の印刷工程は、複写再現される再現パターンと、複写再現されない非再現パターンと、を含む模様パターンを印刷形成することを特徴とするものである。
【００１４】
また、本発明にかかる複写防止印刷物の製造方法において、第１の印刷工程は、ロールトゥロールにて行うことを特徴とするものである。
【発明の効果】
【００１５】
本発明によれば、複写物であることを一見して判読することが可能な複写防止印刷物を柔軟な工程で容易に製造することが可能となる。
【発明を実施するための最良の形態】
【００１６】
以下、本実施形態における複写防止印刷物について図面を参照して説明する。
【００１７】
図１〜図７は本実施形態の複写防止印刷物を適用した定期券の一例を示す図である。
【００１８】
図１は定期券に形成される模様パターン１０を示す図であり、図２はこの模様パターン１０をカモフラージュするカモフラージュパターン２０を示す図である。
【００１９】
図１に示すように、模様パターン１０は、定期券の略中央に位置するように形成される×印状の再現パターン１１およびこの再現パターン１１の周囲一面を覆うように形成される非再現パターン１２によって構成され、再現パターン１１は、例えば、３つの領域１１ａ、１１ｂおよび１１ｃによって構成されている。
【００２０】
図３は図１中、Ａ部を拡大した部分拡大図である。図３に示すように、再現パターン１１の領域１１ａは、図１中、略左右方向に延びる万線からなり、領域１１ｂは、図１中、略天地方向に延びる万線からなり、領域１１ｃは、領域１１ｂと同様に天地方向に延びる万線からなる。これらの万線は、複写機によって複写された場合、複写再現される太さを有する。一方、非再現パターン１２は、複写再現されない大きさの網点からなる。
【００２１】
すなわち、模様パターン１０は、複写再現される再現パターン１１と複写再現されない非再現パターン１２とからなり、複写機により複写した場合に×印状の再現パターン１１のみが複写物に再現されるようにしたものである。
【００２２】
図２に示すように、カモフラージュパターン２０は、例えば、波状の地紋を複写再現される網点により構成したものであり、図４に示すように、図２中、Ｂ部を拡大して示すと、不連続な点を連ねて波状の地紋が構成されている。なお、図４の不連続な点は網点の大きさを表すものではない。
【００２３】
本定期券は、ポリエチレンテレフタレート（ＰＥＴ）等からなる基材の表面および裏面にそれぞれ図示しない受像層および磁気記録層を設け、受像層の上に模様パターン１０およびカモフラージュパターン２０を重ねて印刷したものである。なお、カモフラージュパターン２０は複写再現されない網点により構成してもよい。
【００２４】
この定期券には、さらに裏面の磁気記録層上に注意書等の文字が印刷されて納品され、模様パターン１０およびカモフラージュパターン２０が印刷された表面に、後に駅などで乗車区間や有効期間等が印字され発券され、使用可能な定期券となる。
【００２５】
図５に示すように模様パターン１０がカモフラージュパターン２０によりカモフラージュされた定期券が得られ、この定期券が複写されると、図６に示すようにカモフラージュパターン２０および模様パターン１０の複写再現される再現パターン１１が再現されるとともに、模様パターン１０の複写再現されない非再現パターン１２が消失して得られる。したがって、複写再現される再現パターン１１により複写物であることを一見して判読することができるとともに、複写再現される再現パターン１１の角度が図３に示すように異なることから、複写機の読み取り方向に依存することなく複写再現される再現パターン１１ａと再現パターン１１ｂ、１１ｃとのうちの何れかのパターンを強調して複写再現することができる。
【００２６】
また、模様パターン１０およびカモフラージュパターン２０はどちらを先に印刷形成してもよいので、柔軟な工程を構成することができる。
【００２７】
再現パターン１１を網点からなるように構成した場合には複写機の読み取り方向に依存することがないため、安定した再現パターン１１を得ることができる。再現パターン１１を万線からなるように構成すると、万線は、複写機の読み取り方向との関係で、その方向によって再現性にばらつきがあるが、複写機の読み取り方向と万線の方向とが一致した場合には網点よりも鮮明なパターンを再現することができ、本実施形態においては、再現パターン１１の万線が略直角に形成するようにしているから、一方の万線が不鮮明であっても他方の万線を鮮明に再現させることができ、複写物であることを明確に示すことができる。
【００２８】
また、再現パターン１１は、文字、図形または記号を構成するとよい。これら文字、図形または記号を用いてたとえば「複写物」や「ＣＯＰＹ」の文字が複写再現されるようにすることで、複写物であることを明確に表すことができる。
【００２９】
さらに、カモフラージュパターン２０は、複写再現されない網点または万線からなる潜像を含むものでもよい。定期券が複写されると、この潜像は複写物に周囲のカモフラージュパターン２０に対し白抜き状態で現れる。このため、さらに情報を付加することができるので、例えば、ロゴマーク等を潜像化することで、より複写物であることを明確に表すことができる。
【００３０】
複写再現される再現パターン１１の万線は、６５〜１００線、１５〜３０％、複写再現されない非再現パターン１２の網点は、１３３〜２５０線、１０〜４０％が好ましく、本実施例においては、６５線、２０％の万線と１７５線、２０％の網点により構成している。
【００３１】
また、模様パターン１０およびカモフラージュパターン２０の何れか一方を、変色インキにより印刷形成すれば、定期券が複写物（偽造物）であることを、一見しただけで確認することができる。
【００３２】
次に、本実施形態における定期券を構成する模様パターン１０およびカモフラージュパターン２０用の印刷用インキの組成の具体例を以下に説明する。
【００３３】
本実施形態における定期券は、模様パターン１０およびカモフラージュパターン２０の二色刷りから構成され、模様パターン１０とカモフラージュパターン２０とを同系色で構成した場合（定期券Ａ）、異系色で構成した場合（定期券Ｂ）、及び、異系色でカモフラージュパターン２０に変色インキを用いた場合（定期券Ｃ）の三種類の実施例について説明する。
【００３４】
以下の実施例において、何れの定期券Ａ〜Ｃは、複写再現される再現パターン１１の万線は、６５線、２０％、複写再現されない非再現パターン１２の網点は、１７５線、２０％のとなるように設定した。
【００３５】
（１）模様パターン１０とカモフラージュパターン２０に同系色（赤）を用いた定期券Ａ。
〔カモフラージュパターン印刷用インキの組成〕
ＦＤ赤金 ３．６重量部 （紫外線硬化型オフセットインキ：東洋インキ株式会社）
ＦＤキＮＣ １．１重量部 （紫外線硬化型オフセットインキ：東洋インキ株式会社）
ＲＮＣスミ ０．２重量部 （紫外線硬化型オフセットインキ：株式会社Ｔ＆Ｋ ＴＯＫＡ）
ＲＮＣメジウム ９５．１重量部 （紫外線硬化型オフセットインキ：株式会社Ｔ＆Ｋ ＴＯＫＡ）
〔模様パターン印刷用インキの組成〕
ＦＤ赤金 ６０．９重量部 （紫外線硬化型オフセットインキ：東洋インキ株式会社）
ＦＤキＮＣ ６．３重量部 （紫外線硬化型オフセットインキ：東洋インキ株式会社）
ＲＮＣスミ ０．２重量部 （紫外線硬化型オフセットインキ：株式会社Ｔ＆Ｋ ＴＯＫＡ）
ＲＮＣメジウム ３２．６重量部 （紫外線硬化型オフセットインキ：株式会社Ｔ＆Ｋ ＴＯＫＡ）
【００３６】
（２）模様パターン１０とカモフラージュパターン２０に異系色（緑＋茶）を用いた定期券Ｂ。
〔緑系のカモフラージュパターン印刷用インキの組成〕
ＢＦ白ベース緑７３７ ３０．０重量部 （紫外線硬化型オフセットインキ：株式会社Ｔ＆Ｋ ＴＯＫＡ）
ＲＮＣメジウム ７０．０重量部 （紫外線硬化型オフセットインキ：株式会社Ｔ＆Ｋ ＴＯＫＡ）
〔茶系の模様パターン印刷用インキの組成〕
ＲＮＣ４１８−４１茶 ５０．０重量部 （紫外線硬化型オフセットインキ：株式会社Ｔ＆Ｋ ＴＯＫＡ）
ＲＮＣメジウム ５０．０重量部 （紫外線硬化型オフセットインキ：株式会社Ｔ＆Ｋ ＴＯＫＡ）
【００３７】
（３）模様パターン１０とカモフラージュパターン２０に異系色（緑＋茶）でカモフラージュパターン２０に変色インキ用いた定期券Ｃ。
〔緑系変色インキのカモフラージュパターン印刷用インキの組成〕
ＵＶベストキュアーＳＴＰＷグリーンＷ ２５．０重量部 （紫外線硬化型オフセットインキ：株式会社Ｔ＆Ｋ ＴＯＫＡ）
ＵＶベストキュアーＳＴＰメジウムＷ ７５．０重量部 （紫外線硬化型オフセットインキ：株式会社Ｔ＆Ｋ ＴＯＫＡ）
〔茶系の模様パターン印刷用インキの組成〕
ＲＮＣ４１８−４１茶 ５０．０重量部 （紫外線硬化型オフセットインキ：株式会社Ｔ＆Ｋ ＴＯＫＡ）
ＲＮＣメジウム ５０．０重量部 （紫外線硬化型オフセットインキ：株式会社Ｔ＆Ｋ ＴＯＫＡ）
【００３８】
上記の組成の各インキを用いて、図７に示すようなオフセット印刷機により模様パターン１０およびカモフラージュパターン２０を形成した。図７において、給紙部３１から２０ｍ／ｍｉｎの速度で供給されるＰＥＴフィルム３９は圧胴３６およびブランケット３５によって印刷が施される。ブランケット３５には版胴３４が圧接回転され、版胴３４には、インキ供給装置３２からインキが供給され、湿し水供給装置３３から湿し水が供給される。印刷されたＰＥＴフィルム３９はＵＶ乾燥器３７において乾燥され、巻取部３８に巻き取られる。ＵＶ乾燥器３７は、例えば、アイグラフィックス（株）製のＵＶ乾燥装置（Ｍ０８４−Ｌ３１：メタルハライドランプ使用、１２０Ｗ／ｃｍ×２灯、照射距離１４０ｍｍ）が用いられる。
【００３９】
上記の定期券Ａ〜Ｃのいずれの定期券においても模様パターン１０の複写再現される再現パターン１１および複写再現されない非再現パターン１２が目立たないようにカモフラージュパターン２０によってカモフラージュされ、目視により一見しただけでは、複写再現される再現パターン１１が確認されなかった。
【００４０】
この定期券Ａ〜Ｃを下記の三種類のカラー複写機で複写し、その複写物を目視により評価した。
【００４１】
富士ゼロックス（株）製 Ａ−ｃｏｌｏｒ ９３５キャノン（株）製 ＰＩＸＥＬ ＣＬＣ５００リコー（株）製 ＰＲＥＴＥＲ ７５０
【００４２】
上記の三種類のカラー複写機を用いて定期券Ａ〜Ｃを複写すると、図６に示すように、カモフラージュパターン２０および模様パターン１０の複写再現される再現パターン１１が再現されるとともに、模様パターン１０の複写再現されない非再現パターン１２が消失して得られた。
【００４３】
また、定期券Ｃにおいては、カモフラージュパターン２０が青色に変色して複写されるとともに、模様パターン１０の複写再現される再現パターン１１が、茶色に複写され、複写物（偽造物）であることを、カモフラージュパターン２０と模様パターン１０のコントラストの差により、一見しただけで確認することができた。
【００４４】
このように、本実施形態における複写防止印刷物は、基材上に互いに重ならない、複写再現される再現パターンおよび複写再現されない非再現パターンを有する模様パターンと、模様パターンをカモフラージュするためのカモフラージュパターンと、を基材上に重ねて印刷形成して構成される。このため、模様パターンがカモフラージュパターンによりカモフラージュされた複写防止印刷物を得ることになり、当該印刷物を複写すると、カモフラージュパターンおよび模様パターンの複写再現される再現パターンが再現される。したがって、複写再現される再現パターンにより複写物であることを一見して判読することができる。
【００４５】
また、複写再現される再現パターンの万線を、一部の領域の万線が、残りの領域の万線と異なる角度をなすようにすれば、好ましくは、互いに略直角をなすようにすれば、一方の領域の万線が不鮮明であっても、もう一方の領域の万線を鮮明に再現することができる。
【００４６】
また、再現パターンは、文字、図形または記号を構成するとよい。これら文字、図形または記号を用いて複写物（偽造物）であることを明確に表すことができる。
【００４７】
さらに、カモフラージュパターンが、複写再現されない網点または万線からなる潜像を有するようにすれば、複写防止印刷物が複写された時、この潜像が白抜き状態で複写されて現れる。
【００４８】
また、模様パターンおよびカモフラージュパターンの何れか一方を、変色インキにより形成すれば、印刷物が複写物（偽造物）であることを、一見しただけで確認することができる。
【図面の簡単な説明】
【００４９】
【図１】本実施形態の複写防止印刷物（定期券）を構成する模様パターンの例を示す図である。
【図２】本実施形態の複写防止印刷物（定期券）を構成するカモフラージュパターンの例を示す図である。
【図３】図１のＡ−Ａ線の拡大図である。
【図４】図２のＢ−Ｂ線の拡大図である。
【図５】本実施形態の複写防止印刷物（定期券）の複写前の状態を示す図である。
【図６】本実施形態の複写防止印刷物（定期券）の複写後の状態を示す図である。
【図７】本実施形態の複写防止印刷物（定期券）を印刷するための印刷装置の概略構成図である。
【符号の説明】
【００５０】
１０    模様パターン
１１    再現パターン
１１ａ、１１ｂ、１１ｃ    領域
１２    非再現パターン
２０    カモフラージュパターン
３１    給紙部
３２    インキ供給装置
３３    湿し水供給装置
３４    版胴
３５    ブランケット
３６    圧胴
３７    ＵＶ乾燥器
３８    巻取部
【図１】
2007069613.tif 000003
【図２】
2007069613.tif 000004
【図３】
2007069613.tif 000005
【図４】
2007069613.tif 000006
【図５】
2007069613.tif 000007
【図６】
2007069613.tif 000008
【図７】
2007069613.tif 000009